(57)【要約】      （修正有）【課題】単純であり、経済的であり、部品の数が少なく、製造が複雑ではないような、腕時計用の月の相のディスプレー機構を提供する。【解決手段】月の相のディスプレー機構は、２４時間当たり３回転又は２回転し、それぞれ１９歯又は２９歯の駆動ピニオン１３を駆動する入力ピニオン１１を有する。この駆動ピニオン１３は、明るくされた領域及び少なくとも１つの背景の空領域を有する２つの色分けされた描写を有する月ディスクを支える５９歯の下側車１５を駆動し、また、この下側車１５と同軸な５７歯又は５８歯の上側車１４を駆動する。この上側車１４は、１日当たり１回転し、太陽の描写を備えた空ディスクを有し、この太陽の反対側に開口１６が形成されており、この開口１６を通して、月の現在の外観を示す月ディスクの一部が見える。【選択図】図４
2018004626.tif 000002
【特許請求の範囲】
【請求項１】
計時器用ムーブメント（２００）と連係するように構成しており、２４時間当たり３回転又は２回転するように構成している入力ピニオン（１１）を有する月の相のディスプレー機構（１０）であって、
前記入力ピニオン（１１）は、少なくとも１つのそれぞれ１９歯又は２９歯の駆動ピニオン（１３、１３０）を直接又は摩擦手段（２０）を介して担持及び／又は駆動し、
前記駆動ピニオン（１３、１３０）は、明るくされた領域（１５２）と、それぞれ１つ又は２つの背景の空領域（１５１）を有する２つの色分けされた描写を有する月ディスク（１５０、１５００）を支える５９歯の下側車（１５）を駆動し、
前記駆動ピニオン（１３、１３０）は、下側車（１５）に同軸なそれぞれ５７歯又は５８歯の上側車（１４、１４０）を駆動し、
この上側車（１４、１４０）は、１日当たり１回転し、ユーザーの側に、空及び偏心している太陽（１４１）が描かれた空ディスク（１４００）を有し、前記太陽（１４１）の実質的に反対側に偏心している開口（１６）が形成されており、
この開口（１６）を通して、月の現在の外観が描かれている前記月ディスク（１５０、１５００）の一部を見ることができる
ことを特徴とする月の相のディスプレー機構（１０）。
【請求項２】
前記駆動ピニオン（１３）は、唯一の駆動ピニオンであり、前記下側車（１５）と前記上側車（１４）の両方を駆動する
ことを特徴とする請求項１に記載の月の相のディスプレー機構（１０）。
【請求項３】
前記入力ピニオン（１１）は、２４時間当たり３回転するように構成しており、
前記駆動ピニオン（１３）は、１９歯を有し、前記２つの色分けされた描写は、明るくされた領域（１５２）及び背景の空領域（１５１）を有し、
前記上側車（１４）は、５７歯を有し、月及び背景の空の前記２つの色分けされた描写は、新月と満月の完全な描写をそれぞれ前記開口（１６）を通して見ることができるように、前記月ディスク（１５０）上に、円又はカーディオイド状の境界（１５３）のコンコイドを有する
ことを特徴とする請求項１に記載の月の相のディスプレー機構（１０）。
【請求項４】
前記入力ピニオン（１１）は、２４時間当たり２回転するように構成しており、
前記駆動ピニオン（１３０）は、２９歯を有し、前記２つの色分けされた描写は、明るくされた領域（１５２）及び２つの背景の空領域（１５１）を有し、
前記上側車（１４０）は、５８歯を有する
ことを特徴とする請求項１に記載の月の相のディスプレー機構（１０）。
【請求項５】
プレート（３０）又は棒体（３１）によって構成している固定部を有し、
この固定部に、前記空ディスク（１４００）に重なるように小さな棒体（１９）が取り付けられており、この固定部は、地平線を象徴するものであり、この固定部の一方の側で、前記上側車（１４、１４０）が回転しているときに前記太陽（１４１）の描写が動くことができる
ことを特徴とする請求項１に記載の月の相のディスプレー機構（１０）。
【請求項６】
前記下側車（１５）は、前記空ディスク（１４００）に設けられた目盛（１８）に対して月齢をディスプレーするディスプレーメンバー又は針（１７）と一体化されている
ことを特徴とする請求項１に記載の月の相のディスプレー機構（１０）。
【請求項７】
前記駆動ピニオン（１３、１３０）は、摩擦手段（２０）を介して前記入力ピニオン（１１）によって駆動されて、これによって、中間列を介して制御ステムから、又は前記駆動ピニオン（１３、１３０）に作用するコレクターのレバーから、修正をすることが可能になる
ことを特徴とする請求項２に記載の月の相のディスプレー機構（１０）。
【請求項８】
請求項１に記載の月の相のディスプレー機構（１０）を有する
ことを特徴とする計時器用ディスプレー機構（１００）。
【請求項９】
請求項１に記載の月の相のディスプレー機構（１０）と、及び時間車とを有する計時器用ムーブメント（２００）であって、
前記時間車は、前記入力ピニオン（１１）を駆動して前記少なくとも１つの駆動ピニオン（１３、１３０）を駆動するか、又は前記入力ピニオン（１１）を形成して前記少なくとも１つの駆動ピニオン（１３、１３０）を担持かつ駆動するように構成しており、
この場合において、前記駆動ピニオン（１３、１３０）の１つは、逆転器を介して間接的に前記上側車（１４、１４０）を駆動し、
前記駆動ピニオン（１３、１３０）は、分離手段を通して間接的に前記下側車（１５）を駆動する
ことを特徴とする計時器用ムーブメント（２００）。
【請求項１０】
請求項７に記載の月の相のディスプレー機構（１０）と、及び巻き及び修正用のステム（３０１）とを有し、
前記ステム（３０１）は、中間列（３０２）を介して月の相の修正を制御するように構成している
ことを特徴とする請求項９に記載の計時器用ムーブメント（２００）。
【請求項１１】
請求項９又は１０に記載の計時器用ムーブメント（２００）を有する
ことを特徴とする腕時計（３００）。
【発明の詳細な説明】
【技術分野】
【０００１】
本発明は、計時器用ムーブメントと連係するように構成しており、２４時間当たり３回転又は２回転するように構成している入力ピニオンを有する月の相のディスプレー機構に関する。
【０００２】
本発明は、さらに、このような月の相のディスプレー機構を有する計時器用ディスプレー機構に関する。
【０００３】
本発明は、さらに、このような月の相のディスプレー機構を有する計時器用ムーブメントに関する。
【０００４】
本発明は、さらに、このようなムーブメントを有する腕時計に関する。
【０００５】
本発明は、腕時計のディスプレー機構の分野に関し、特に、複雑機構を備えた機械式腕時計用のディスプレー機構の分野に関する。
【背景技術】
【０００６】
月の相のディスプレーは、腕時計製造において価値が高い機能であるが、ムーブメントの製造を複雑にし、ケース内に大きな体積を容易に占めてしまう。また、月の相のディスプレーを修正することは容易ではない。
【０００７】
ＣＨＲＩＳＴＯＰＨＥ  ＣＬＡＲＥＴによる欧州特許出願ＥＰ２８５３９５７Ａ１は、月の相のディスプレー機構を開示している。これは、異なる速度で回転する２つのディスクを有し、その一方の第１のディスクは、月の表現を支えており、他方のディスクには、いくつかの開口が形成されている。この開口は、第１のディスク上の月の表現を見えるようにするように構成しており、これによって、開口のうちの１つを通して月期の月の相を順次示し、これらの開口は、すべて同時に見えるいくつかの月カバーによって分離している。隣接する開口によって、連続する月期の月の相が示される。
【０００８】
ＺＩＭＭＥＲＭＡＮＮによる米国特許出願ＵＳ２００６／２２１７７７１は、月ディスプレーディスクに同心的に固定された月ディスクを有する月の相機構を開示している。これにおいて、月ディスクは、この機構の通常の動作時にこの月ディスクが月ディスプレーディスクに対して回転するように固定される。月ディスプレーディスクは、デバイスの通常の動作時に固定位置にあり、手動のディスプレー変更のためにのみ動くように構成している。
【発明の概要】
【発明が解決しようとする課題】
【０００９】
本発明は、単純であり、経済的であり、部品の数が少なく、製造が複雑ではないような、腕時計用の月の相のディスプレー機構を作ることを目的とする。
【課題を解決するための手段】
【００１０】
このために、本発明は、請求項１に記載の月の相のディスプレー機構に関する。
【００１１】
本発明は、さらに、このような月の相のディスプレー機構を有する計時器用ディスプレー機構に関する。
【００１２】
本発明は、さらに、このような月の相のディスプレー機構を有する計時器用ムーブメントに関する。
【００１３】
本発明は、さらに、このようなムーブメントを有する腕時計に関する。
【００１４】
添付図面を参照しながら下記の詳細な説明を読むことによって、本発明の他の特徴及び利点を理解することができるであろう。
【図面の簡単な説明】
【００１５】
【図１】空ディスクに形成された開口を通して見ることができる月ディスクを備える本発明に係る月の相のディスプレー機構の概略正面図を示しており、これらの２つのディスクは、異なる回転速度を有する同軸の車によって担持されており、空ディスクは、水平線を象徴する小さな棒体の後ろに見ることができる日中／夜間ディスプレーを形成している。
【図２】図１と同様な形態で、部分的に示した目盛り付きスケールに対向している可動な針を有する月齢ディスプレーによって完成される同じ機構を示している。
【図３】図１と同様な形態で、同じ機構の月ディスクを示している。
【図４】本発明に係る機構の第１の変種の制御車セットの軸及び同軸の車の軸を通り抜ける断面図を示している。
【図５】本発明の第１の変種に係る月の相のディスプレー機構の部分的な概略正面図を示している。
【図６】図４と同様な形態で、図５の機構を示している。
【図７】図３と同様な形態で、図５の機構の月ディスクを示している。
【図８】本発明の第２の変種に係る月の相のディスプレー機構の部分的な概略正面図を示している。
【図９】図６と同様な形態で、図８の機構を示している。
【図１０】図７と同様な形態で、図８の機構の月ディスクを示している。
【図１１】本発明の第１の変種又は第２の変種に適用可能である、月の相ディスプレーを修正する摩擦機構の制御車セットの軸及び同軸の車の軸を通り抜ける断面図を示している。
【図１２】このような月の相のディスプレー機構を有する計時器用ディスプレー機構を有する計時器用ムーブメントを有する腕時計を示しているブロック図である。
【図１３】図８の変種と同様であるが歯数がすべて２倍になっている、本発明の第２の変種に係る月の相のディスプレー機構の概略正面図を示している。
【図１４】図１３において見えない歯車列の詳細を示している。
【図１５】図１３及び１４に示した機構についての駆動デバイスから月の相ディスプレーまでの断面図を示している。
【図１６】図１３及び１４に示した機構についての修正用ステムから月の相ディスプレーまでの断面図を示している。
【発明を実施するための形態】
【００１６】
本発明は、単純で経済的な腕時計用の月の相のディスプレー機構に関する。
【００１７】
下において、この機構を２つの変種に基づいて説明する。これらは、同じ一般原則を利用するが、歯車列の構成において差がある。
【００１８】
本発明は、計時器用ムーブメント２００と連係するように構成しており入力ピニオンを有する月の相のディスプレー機構１０に関する。
【００１９】
この入力ピニオンは、
−  第１の変種において、２４時間当たり３回転し、図４において符号１１で示した。
−  又は第２の変種において、２４時間当たり２回転する。
【００２０】
本発明によると、入力ピニオンは、直接、又は図１１の場合におけるように摩擦手段２０を介して、又は別の車セット又は歯車列を介して、少なくとも１つの駆動ピニオンを駆動する。
−  第１の変種において、入力ピニオンは、少なくとも１つの１９歯の駆動ピニオン（図４における符号１３）を駆動する。
−  第２の変種において、入力ピニオンは、少なくとも１つの２９歯の駆動ピニオン（図８における符号１３０）を駆動する。
【００２１】
駆動ピニオン（変種に依存して符号１３又は１３０）は、上側車を駆動する。
−  第１の変種において、駆動ピニオン１３は、５７歯の上側車（図４における符号１４）を駆動する。
−  第２の変種において、駆動ピニオン１３０は、５８歯の上側車（図９における符号１４０）を駆動する。
【００２２】
この上側車は、両方の変種において、１日当たり１回転する。
【００２３】
上側車は、ユーザの側に、空及び偏心している太陽１４１が描かれた空ディスク１４００を有し、この空ディスク１４００には、実質的に太陽１４１の反対側に、偏心している開口１６が形成されている。この空ディスク１４００を介して、下側車１５のうちの月の現在の外観を示している部分を見ることができる。
【００２４】
１９歯の駆動ピニオン１３又は２９歯の駆動ピニオン１３０は、必ずしも唯一の駆動ピニオンではない。これは特定の場合についてのものである。
【００２５】
特定の実施形態において、図１、２及び８に示すように、空ディスク１４００上の空の描写には、太陽１４１の描写がある日中に対応する第１の明るい又は明るくされた部分１４２と、月の相を見ることができる開口１６が形成された夜間に対応する第２の暗い又はシェーディング付き部分とがある。
【００２６】
図５において、空ディスク１４００上の空の描写には、開口１６において、太陽１４１の描写における日中に対応する明るい部分から夜間に対応する暗い部分まで、徐々にシェーディング付けされている絵柄１４４がある（図においてシェーディングを示していない）。
【００２７】
月の相のディスプレーを可能にするために、駆動ピニオン（変種に応じて１３又は１３０）は、５９歯の下側車１５を駆動する。
【００２８】
この５９歯の下側車１５は、両方の変種に共通であり、月ディスク（図３又は７に示す第１の変種においては１５０、図１０に示す第２の変種においては１５００）を担持している。当然、月ディスクを下側車上に配置することができ、また、月ディスクと下側車とを単一の部品によって形成することができ、月ディスクは、エナメル処理、塗装、シルク印刷、転写印刷又は他の手段によって構成することができる。
【００２９】
月ディスク１５又は１５００は、少なくとも１つの明るくされた領域１５２及び少なくとも１つの暗い背景の空領域１５１を有する２つの色分けされた描写を有する。
−  第１の変種において、月ディスク１５０には、明るくされた領域１５２及び背景の空領域１５１があり、明るくされた領域１５２には、満月ディスプレーに対応する領域１５５があり、背景の空領域１５１には、ブラックムーンとも呼ばれる新月のディスプレーに対応する領域がある。
−  第２の変種において、月ディスク１５００には、明るくされた領域１５２及び直径的に反対側の２つの背景の空領域１５１がある。
【００３０】
第１の変種では、背景の空領域１５１は、新月と満月の継続期間が近似的に扱われるように構成している。特定の実施形態において、この背景の空領域１５１の境界は、新月と満月の全体の描写がそれぞれ開口１６を通して見えるように、円又はカーディオイド状の境界のコンコイドによって定められる。
【００３１】
月を完全に見せるために、空ディスク１４００が外側で回転する。そうでないときには、その軸が地平線によって隠されていることがある。
【００３２】
寸法が小さい好ましい実施形態に対応する図示した実施形態において、上側車（変種に応じて１４又は１４０）は、下側車１５と同軸である。
【００３３】
第１の変種は、特定のギヤ比５７−１９−５９を利用する。このことによって、極めて単純でありエネルギーをほとんど用いないような月の相を達成することができる。なぜなら、機構にはジャンパーばねがなく、連続運動をするように時間車と直接噛み合っているからである。
【００３４】
入力ピニオン１１は、計時器用ムーブメントの時間車１２と噛み合い、２４時間当たり３回転する。
Ｚ＝Ｚｈ／３
【００３５】
入力ピニオン１１は、１９歯の駆動ピニオン１３を担持している。これは、２つの同軸の５７歯の車と５９歯の車、すなわち、５７歯の上側車１４と５９歯の下側車１５、を駆動する。
【００３６】
特定の変種（これに限定されない）において、入力ピニオン１１と駆動ピニオン１３は一体化されている。
【００３７】
別の変種においては、入力ピニオン１１は駆動ピニオン１３のみを担持している。入力ピニオン１１は、この駆動ピニオン１３を、例えば、別個の車セットによって、間接的に駆動する。
【００３８】
上側車１４は、５７歯を有し、したがって、２４時間当たり３×１９／５７＝１回転する。
【００３９】
下側車１５は、５９歯を有し、２４時間当たり３×１９／５９＝０．９６６１０１６９５回転する。
Δ＝１／（１−０．９６６１０１６９５）＝２９．５
であり、このことは、下側車１５が上側車１４に対して、２９．５日、すなわち、太陰月の平均継続期間、当たり反対方向に１回転することを意味している。
【００４０】
機構１０は、プレート３０又は棒体３１によって形成される固定部分を有し、これには、空ディスク１４００上に重なっており地平線を象徴する小さな棒体１９が固定され、図１及び２に示すように、この棒体１９の両側にて、上側車１４又は１４０が回転しているときに太陽１４１の描写が動くことができる。月と太陽が描かれた空ディスク１４００は、日中と夜間のレートで回転する。
【００４１】
図２の特定の実施形態において、下側車１５は、例えば、針のパイプを介して、空ディスク１４００に設けられた目盛１８に月齢をディスプレーするディスプレーメンバー又は針１７に取り付けられている。
【００４２】
この第１の変種を達成するために、歯車列の様々な選択肢がある。
【００４３】
第１の選択肢では、１９歯の駆動ピニオン１３は、唯一の駆動ピニオンであり、５７歯の上側車１４と５９歯の下側車１５と同時に噛み合う。
【００４４】
図面に示した好ましい実施形態において、上側車１４と下側車１５は同軸である。これらの上側車１４と下側車１５の間には直接的な駆動手段がなく、互いに対して自由に回転することができる。したがって、与えられる駆動手段に応じて、同じ向きに回転したり、反対方向に回転したりする。
【００４５】
したがって、単一の１９歯の駆動ピニオン１３のために最良の可能な妥協点を判断することが重要となる。この駆動ピニオン１３は、各場合において接触を最適化して摩耗を抑えるためにピッチ円の可能な限り近くにて、５７歯の上側車１４及び５９歯の下側車１５と同時に噛み合う。当然、このとき、このアセンブリーにおいて、部品の数を少なくして厚みを非常に薄くすることを可能にする妥協点において、一方の車との噛み合いがピッチ円の少し上で発生し、他方の車との噛み合いがピッチ円の少し下で発生する。このことは、両方の車が常に同じ向きに回転するために可能となっている。
【００４６】
直径９．０ｍｍの月に適しているモジュールｍ＝０．１７（Blancpain 67 calibre）では、この第１の選択肢において、中心間の理論的な距離を計算することによって、以下の値を得る。
Ｃ５９＝０．１７×（５９＋１９）／２＝６．６３
Ｃ５７＝０．１７×（５７＋１９）／２＝６．４６
平均値Ｃｍが６．５４５であれば、非常に小さい距離で、駆動ピニオン１３のピッチ円の両側にて噛み合いが均等に分布する。
Δ５７＝−０．０８５
Δ５９＝＋０．０８５
Dpm＝０．１７×５８＝９．８６（５７歯の上側車１４と５９歯の下側車１５のカットに対応）
【００４７】
第２の選択肢において、駆動ピニオンは、二重にされ、
ｍ５７＝０．１７２２、かつ、ｍ５９＝０．１６７８
であり、このとき、上側車１４と下側車１５の噛み合いが、駆動ピニオンに関連づけられたピッチ円にて発生する。この駆動ピニオンは、一体化されていれば、低いコストで作ることができるが、切断工具それぞれを確実に引っ込めることができるように、わずかに大きな厚み寸法を必要とすることがある。この課題は、それぞれが適切なモジュールを有し、ウェッジ式キーイング、接合などによって一体化して回転させられるような、２つの重なり合うピニオンを使用することで解消する。
【００４８】
別の選択肢において、上側車１４と下側車１５は、厳密には同軸ではなく、一方が他方に対して半径方向の遊びを有する。この遊びの修正には、ジャンパーばねなどによる駆動ピニオンの方への弾性の戻しを必要とする。これには、第１の選択肢又は第２の選択肢にて回避することができている分のエネルギー消費を発生させる。
【００４９】
短く書くと、月の相のディスプレー機構１０のこの第１の変種では、入力ピニオン１１は、２４時間当たり３回転するように構成しており、駆動ピニオン１３には１９歯があり、上側車１４には５７歯があり、そして、月ディスク１５０上で、この２つの色分けされた描写には、明るくされた領域１５２及び背景の空領域１５１があり、これらの境界は、円又はカーディオイドの境界１５３のコンコイドによって定められている。これによって、新月と満月の完全な表現を開口１６を通して見ることができる。
【００５０】
第２の変種は、異なるギア比５８−２９−５９を用いる。
【００５１】
入力ピニオン１１０は、計時器用ムーブメントの時間車１２と噛み合い、２４時間当たり２回転する。この入力ピニオン１１０は、２９歯の駆動ピニオン１３０を担持しており、この駆動ピニオン１３０は、図９に示すように５８歯の上側車１４０を駆動し、そして、５９歯の下側車１５を駆動する。
【００５２】
したがって、上側車１４０は、５８歯を有し、したがって、２４時間当たり
（２×２９）／５８＝１
回転する。
【００５３】
下側車１５は、５９歯を有し、その月ディスク１５００は、２つの背景の空領域１５１を有する。下側車１５は、２つの背景の空領域を有するので、２４時間当たり
２×（１／２）×（２９／５９）＝０．４９１５２５４２４
回転する。反対方向では、
Δ＝１／（１−０．４９１５２５４２４）＝５９
である。
【００５４】
２９歯の駆動ピニオン１３０によって１２時間当たり１回転するので、この駆動ピニオン１３０をムーブメントの時間車上に直接配置することを想到することができる。しかし、逆転器を取り付けて、日中／夜間のディスプレーのために回転方向が適切であることを確実にする必要があり、また、時間車と月駆動デバイスの間に分離手段が必要である。
【００５５】
短く書くと、月の相のディスプレー機構１０のこの第２の変種では、入力ピニオン１１は、２４時間当たり２回転するように構成しており、駆動ピニオン１３０は、２９歯を有し、この月ディスク１５００の２つの色分けされた描写には、明るくされた領域１５２と２つの背景の空領域１５１を有し、上側車１４は、５８歯を有する。
【００５６】
図１３〜１６は、第２の変種の別の実施形態を示しており、歯数はすべて２倍になっている。このことによって、ギヤ比は変わらず、遊びを小さくすることができる。
【００５７】
図１１は、月の相のコレクターを作る単純な手段を示している。この修正は、入力ピニオン１１と月期を制御する駆動ピニオン１３との間に摩擦手段２０を接続車セットに挿入することによって行うことができる。この入力ピニオン１１は、時間車１２に接続されており、この時間車１２に保持リング２１が押し付けられる。時計３００の巻きステム３０１の位置Ｔ２から、中間列３０２によって又はコレクターのレバーによって、月を修正することを想到することができる。このコレクターのレバーは、具体的には、第１のモードにおいて、駆動ピニオン１３上で、駆動ピニオン１３が摩擦手段２０を介して入力ピニオン１１によって駆動され、このことによって、中間列を介して制御ステムから、又は駆動ピニオン１３に作用するコレクターのレバーから、修正することが可能になる。この第１のモードにおいて、空ディスク及び月ディスクがともに修正されることは明らかである。図１４は、空ディスクに対する月ディスクの修正に関連している別の修正モードを示している。中間列３０２の最後の車３０３は、車３０４を駆動し、この車３０４は、リング３０５と弾性ワッシャー３０６を有する摩擦手段を介して、月ディスク１５００と連係する。
【００５８】
本発明は、さらに、このような月の相のディスプレー機構１０を有する計時器用ディスプレー機構に関する。
【００５９】
本発明は、さらに、このような月の相のディスプレー機構１０を有し、時間車１２を有する計時器用ムーブメント２００に関する。この時間車１２は、入力ピニオン１１を駆動し駆動ピニオン１３又は１３０を駆動し、あるいは入力ピニオン１１を形成して両方が駆動ピニオンを担持し駆動するように構成している。この場合において、駆動ピニオン１３は、当業者に知られた方法で逆転器を通して間接的に上側車１４を駆動し、駆動ピニオン１３は、分離手段を通して間接的に下側車１５を駆動する。
【００６０】
特に、このムーブメント２００は、巻き及び修正用ステム３０１を有しており、ステム３０１は、中間列３０２を介して月の相の修正を制御するように構成している。
【００６１】
本発明は、さらに、この種のムーブメント２００を有する腕時計３００に関する。
【符号の説明】
【００６２】
１、５００、５０１  月ディスク
１０  月の相のディスプレー機構
１１  入力ピニオン
１３、１３０  駆動ピニオン
１４、１４０  上側車
１５  下側車
１６  開口
１７  針
１８  目盛
１９  棒体
２０  摩擦手段
３０  プレート
３１  棒体
１００  計時器用ディスプレー機構
１４１  太陽
１５０  月ディスク
１５１  背景の空領域
１５２  明るくされた領域
１５３  境界
２００  計時器用ムーブメント
３００  腕時計
３０１  ステム
３０２  中間列
１４００  空ディスク
【図１】
2018004626.tif 000003
【図２】
2018004626.tif 000004
【図３】
2018004626.tif 000005
【図４】
2018004626.tif 000006
【図５】
2018004626.tif 000007
【図６】
2018004626.tif 000008
【図７】
2018004626.tif 000009
【図８】
2018004626.tif 000010
【図９】
2018004626.tif 000011
【図１０】
2018004626.tif 000012
【図１１】
2018004626.tif 000013
【図１２】
2018004626.tif 000014
【図１３】
2018004626.tif 000015
【図１４】
2018004626.tif 000016
【図１５】
2018004626.tif 000017
【図１６】
2018004626.tif 000018